(57)【要約】【課題】吹き出す冷風もしくは温風の温度を変えることなく部屋の左右にいる人の快適性を保つことができる空気調和機の提供。【解決手段】本体２の吹出口に設けた左右風向変更羽根９と、前記左右風向変更羽根の向きを制御する制御部１２とを備え、前記左右風向変更羽根９は上下左右四つのブロックに分けて設け、且つ、前記左右風向変更羽根の向きを制御する制御部１２は、上側の左右風向変更羽根９ａ，９ｂで部屋全体の空調を行うように制御し、下側の左右風向変更羽根９ｃ，９ｄで部屋の局所的な個別空調を制御する構成としてある。これにより、吹出口から吹き出す冷風もしくは温風の温度を変えなくても部屋全体の空調と個別空調の両方を実現でき、部屋全体の快適性を確保することができる。【選択図】図３
2020060329.tif 000002
【特許請求の範囲】
【請求項１】
室内機本体と、前記室内機本体内に設けた熱交換器及び送風ファンと、前記室内機本体の吹出口に設けた左右風向変更羽根と、前記左右風向変更羽根の向きを制御する制御部とを備え、前記左右風向変更羽根は上下左右四つのブロックに分けて設け、且つ、前記左右風向変更羽根の向きを制御する制御部は、上側の左右風向変更羽根で部屋全体の空調を行うように制御し、下側の左右風向変更羽根で部屋の局所的な個別空調を制御する構成とした空気調和機。
【請求項２】
制御部は下側の左右風向変更羽根の向きを時間によって可変制御する構成とした請求項１に記載の空気調和機。
【請求項３】
下側の左右風向変更羽根は、部屋の左右の温度差に応じて向きの時間を変える構成とした請求項２に記載の空気調和機。
【請求項４】
制御部は人位置及び活動量を検出可能とし、前記人位置及び活動量に応じて風向変更羽根の向きの時間を変える構成とした請求項２または３に記載の空気調和機。
【発明の詳細な説明】
【技術分野】
【０００１】
本発明は空気調和機の冷風もしくは温風の吹き分け構成に関するものである。
【背景技術】
【０００２】
一般に空気調和機は、吸込口と吹出口を有する本体内に熱交換器と熱交換器で熱交換した冷風もしくは温風を吹き出す送風ファンとを設け、前記吹出口から冷風もしくは温風を吹き出し室内を空調するようになっている。
【０００３】
上記吹出口からの冷風もしくは温風は、吹出口に設けた上下左右の風向変更羽根により必要箇所に吹き分けるようになっているが、その吹き分けをきめ細かく行えるようにするため、吹出口に設ける左右風向変更羽根を上下二段設けるとともに、左右二つに分けてそれぞれ独立して向きを変えられるようにすることを出願人が提案している（例えば、特許文献１参照）。
【０００４】
図８は上記特許文献１の空気調和機を示し、この空気調和機は室内機１００の吹出口１０１に左右風向変更羽根１０２，１０３，１０４，１０５を上下二段、左右二つに分けて設けてあり、それぞれ独立して向きを変えられるように構成してある。
【０００５】
これにより、吹出口１０１からの冷風もしくは温風をきめ細かく吹き分けることができる。
【先行技術文献】
【特許文献】
【０００６】
【特許文献１】特開２０１８−２５３４３号公報
【発明の概要】
【発明が解決しようとする課題】
【０００７】
しかしながら、上記空気調和機は、吹出口から吹き出す冷風もしくは温風の温度を上下で変更できるようにしているので、部屋の左右に吹き分ける際、四つのブロックに分けられている左右風向変更羽根１０２，１０３，１０４，１０５は、上側ブロックの左右風向変更羽根１０２，１０３で比較的温度の高い冷風もしくは温風の向きを変更し、下側ブロックの左右風向変更羽根１０４，１０５で比較的温度の低い冷風もしくは温風の向きを変更することにより、部屋の左右にいる人の快適性を保つようになっている。
【０００８】
そのため、上記空気調和機は、吹出口から吹き出す冷風もしくは温風の温度を変えるための複雑かつ高価な熱交換器を必要とし、コスト高となる面があった。
【０００９】
本発明はこのような点に鑑みてなしたもので、吹き出す冷風もしくは温風の温度を変えることなく部屋の左右にいる人の快適性を保つことができる空気調和機を提供することを目的としたものである。
【課題を解決するための手段】
【００１０】
本発明は、上記目的を達成するため、本体内に設けた熱交換器及び送風ファンと、前記本体の吹出口に設けた左右風向変更羽根と、前記左右風向変更羽根の向きを制御する制御部とを備え、前記左右風向変更羽根は上下左右四つのブロックに分けて設け、且つ、前記左右風向変更羽根の向きを制御する制御部は上側の左右風向変更羽根で部屋全体の空調を行うように制御し、下側の左右風向変更羽根で部屋の局所的な個別空調を制御する構成としてある。
【００１１】
これにより、吹出口から吹き出す冷風もしくは温風の温度を変えなくても部屋全体の空調と個別空調の両方を実現でき、部屋全体の快適性を確保することができる。
【発明の効果】
【００１２】
本発明は、上記構成により、上下左右四つのブロックに分けた左右風向変更羽根を利用して安価に部屋の左右にいる人の快適性を確保することができる空気調和機とすることができる。
【図面の簡単な説明】
【００１３】
【図１】本発明の実施の形態１に係る空気調和機の室内機を示す斜視図
【図２】同実施の形態１に係る室内機の断面図
【図３】同実施の形態１に係る室内機の吹出口を開いた時の室内機を示す正面図
【図４】同実施の形態１に係る室内機の吹出口を開いた時の室内機を示す断面図
【図５】同実施の形態１に係る空気調和機の制御ブロック図
【図６】同実施の形態１に係る空気調和機の制御フローを示す図
【図７】同実施の形態１に係る空気調和機の吹き分け制御のフローを示す図
【図８】従来の空気調和機の吹出口を開いた時の室内機の斜視図
【発明を実施するための形態】
【００１４】
第１の発明は、本体と、前記本体内に設けた熱交換器及び送風ファンと、前記本体の吹出口に設けた左右風向変更羽根と、前記左右風向変更羽根の向きを制御する制御部とを備え、前記左右風向変更羽根は上下左右四つのブロックに分けて設け、且つ、前記左右風向変更羽根の向きを制御する制御部は、上側の左右風向変更羽根で部屋全体の空調を行うように制御し、下側の左右風向変更羽根で部屋の局所的な個別空調を制御する構成としてある。
【００１５】
これにより、吹出口から吹き出す冷風もしくは温風の温度を変えなくても部屋全体の空調と個別空調の両方を実現でき、部屋全体の快適性を確保することができる。
【００１６】
第２の発明は、第１の発明において、前記制御部は下側の左右風向変更羽根の向きを時間によって可変制御する構成としてある。
【００１７】
これにより、下側の二つの左右風向変更羽根の向きの時間を変えるという簡易な方法で部屋左右に吹き分ける冷風もしくは温風の量を変えて部屋の個別空調を実現でき、部屋全体を所望の設定温度にしつつ部屋の左右における寒さ暑さ度合を変え、安価に部屋全体の快適性を確保することができる。
【００１８】
第３の発明は、第２の発明において、前記下側の左右風向変更羽根は、部屋の左右の温度差に応じて向きの時間を変える構成としてある。
【００１９】
これにより、部屋の温度状況に応じて冷風もしくは温風を吹き分けることができ、温度状況だけの簡易な方法で快適性の高い空気調和機とすることができる。
【００２０】
第４の発明は、第２または第３の発明において、前記制御部は人位置及び活動量を検出可能とし、前記人位置及び活動量に応じて風向変更羽根の向きの時間を変える構成としてある。
【００２１】
これにより、人位置と活動量に応じても冷風もしくは温風を吹き分けることができ、より快適性の高い空気調和機とすることができる。
【００２２】
以下、本発明の実施の形態について、図面を参照しながら説明する。なお、この実施の形態によって本発明が限定されるものではない。
【００２３】
（実施形態１）
本実施の形態１の空気調和機は、室内機と室外機が冷媒配管及び制御配線等により互いに接続された、所謂セパレート型の空気調和機である。室内機と室外機によりヒートポンプが構成されており、室外機には圧縮機が設けられている。実施の形態１の空気調和機における室内機は、室内の壁面に取り付ける壁掛け式室内機である。
【００２４】
図１は本発明の実施の形態１に係る空気調和機の室内機を示す斜視図、図２は同室内機の断面図、図３は同室内機の吹出口を開いた時の室内機を示す正面図、図４は同室内機の吹出口を開いた時の室内機を示す断面図、図５は同空気調和機の制御ブロック図、図６は同空気調和機の制御フローを示す図、図７は同空気調和機の吹き分け制御のフローを示す図である。
【００２５】
本実施の形態に係る空気調和機の室内機１は、図１、図２に示すように、上面に開口部２ａを有する本体２（以下、室内機本体と称す）と、室内機本体２の前面を覆う前面パネル３とを備えている。
【００２６】
室内機本体２の内部には、図２に示すように、開口部２ａから取り入れた室内空気を熱交換する熱交換器４と、熱交換器４で熱交換された空気を室内に吹き出すための風力源である送風ファン５とが設けられている。送風ファン５は、室内機本体２の下方に設けられた吹出口６を通じて室内に空気を吹き出すように設けられている。また、室内機本体２の前記送風ファン５下流側から吹出口６に至る通風路７には、吹出口６を開閉するとともに空気の吹き出し方向を上下に変更する上下風向変更羽根８と、空気の吹き出し方向を左右に変更する左右風向変更羽根９とが設けられている。
【００２７】
また、前記室内機本体２の開口部２ａと熱交換器４との間には、開口部２ａから取り入れた室内空気に含まれる塵埃を除去するためのフィルタ１０が設けられている。フィルタ１０は、枠体部分と、当該枠体部分に保持された網部分とを備えている。本実施形態にかかる空気調和機は、フィルタ１０の網部分に付着した塵埃を自動的に清掃するフィルタ掃除ユニット１１を備えている。
【００２８】
空気調和機が空調運転を開始すると、上下風向変更羽根８が開制御されて吹出口６が開放される。この状態で送風ファン５が駆動されることで、室内空気が開口部２ａを介して室内機の内部に取り入れられる。取り入れられた室内空気は、熱交換器４で熱交換され、送風ファン５を通過し、送風ファン５の送風方向の下流側に形成された通風路７を通過して、吹出口６より吹き出される。
【００２９】
次に、上記吹出口６に設けた上下風向変更羽根８と左右風向変更羽根９について図３、図４を用いて説明する。
【００３０】
上下風向変更羽根８は上中下三段に設けてあり、吹出口６の左右全域にわたる長さを持っていて、吹出口６を開閉する機能も持っている。
【００３１】
また、左右風向変更羽根９は吹出口６の上下左右四つのブロックに分けて設けてある。すなわち、図３に示すように右の上側左右風向変更羽根９ａ、左の上側左右風向変更羽根９ｂ、右の下側左右風向変更羽根９ｃ、左の下側左右風向変更羽根９ｄの四つに分けて設けてあり、それぞれ独立してその向きを変えられるようになっている。
【００３２】
上記四つの左右風向変更羽根９ａ，９ｂ，９ｃ，９ｄ及び三つの上下風向変更羽根８ａ，８ｂ，８ｃは前面パネル３背面の室内機本体２内に設けた制御部１２によってその向きを制御される。
【００３３】
図５は制御部１２を示し、この制御部１２は冷凍サイクルの圧縮機１３等を駆動して空調運転を制御する空調制御部１４と、温度センサ１５、人感センサ１６、活動量センサ１７からの出力に基づき前記した上側左右風向変更羽根９ａ，９ｂと下側左右風向変更羽根９ｃ，９ｄ、及び上中下三つの上下風向変更羽根８ａ，８ｂ，８ｃを制御する風向変更羽根制御部１８を有している。
【００３４】
以下、制御部１２による上記各風向制御羽根の制御について説明する。
【００３５】
空気調和機の運転開始が指示されると、まず三つの上下風向変更羽根８ａ，８ｂ，８ｃが開き、吹出口６を開成するとともに必要に応じで上下動する。そして、四つの左右風向変更羽根９ａ，９ｂ，９ｃ，９ｄの向きが制御される。この四つの左右風向変更羽根９ａ，９ｂ，９ｃ，９ｄの制御について図６、図７を用いて説明する。
【００３６】
空気調和機の運転開始が指示され、三つの上下風向変更羽根８ａ，８ｂ，８ｃが開かれる、図６のステップＳ１、ステップＳ２に示すように人感センサ１６によって人位置を検知し、活動量センサ１７によって活動量を算出検出する。
【００３７】
上記ステップＳ１とステップＳ２による人位置と活動量に基づきステップＳ３で人の存在位置が複数であるか、つまり吹き分けエリアが複数エリアあるかを判定し、複数でないならばステップＳ７で人検知位置に向けて吹き分けを完了する。
【００３８】
上記、ステップＳ３で吹き分けエリアが複数存在する場合は、ステップＳ４によって各エリアに温度差があるかを判定し、温度差がなければステップＳ６で各エリアに向け同時に向きを変えて吹き分けを完了する。
【００３９】
さらに、上記ステップＳ４で各エリアに温度差があれば、上側左右風向変更羽根９ａ，９ｂはあらかじめ定めた向きに固定し、ステップＳ５で下側左右風向変更羽根９ｃ，９ｄの向きの変更と停留を繰り返し、吹き分けを完了する。つまり、下側左右風向変更羽根９ｃ，９ｄの向きを変えて吹き分けを完了する。
【００４０】
以下、上記ステップＳ５における四つの左右風向変更羽根９ａ，９ｂ，９ｃ，９ｄの吹き分け制御について図７を用い説明する。
【００４１】
ステップＳ１０による吹き分けが開始されると、前記ステップＳ４で判定した各エリアの温度を基にステップＳ１１で上側左右風向変更羽根９ａ，９ｂと下側左右風向変更羽根９ｃ，９ｄの変更する向きの固定時間を算出する。
【００４２】
そして、上記算出した時間に基づいてステップＳ１２で上側左右風向変更羽根９ａ，９ｂを固定し、下側左右風向変更羽根９ｃ，９ｄを前記ステップＳ４の温度判定結果に基づき定めた向きに向けステップＳ１１で算出した時間だけ停留し、冷風もしくは温風をその向きに吹き分ける。この動作を、前記ステップＳ１１で算出した時間になるまで（Ｓ１３−Ｙ）継続する。
【００４３】
ステップＳ１１で定めた時間が経過すると（Ｓ１３−Ｙ）、ステップＳ１４で吹き分け方向を前記ステップＳ４の温度判定結果に基づき定めた向きに変更し、ステップＳ１２と同様にステップＳ４の温度判定結果に基づき定めた向きとステップＳ１１で算出した時間だけ停留し、冷風もしくは温風をその向きに吹き分ける。この動作を、前記ステップＳ１１で算出した時間になるまで（Ｓ１５−Ｙ）継続する。
【００４４】
その後、ステップＳ１６で部屋の左右の温度を確認し、温度差が残っている間は前記ステップＳ１１からステップＳ１６の吹き分け動作を繰り返し、部屋の左右の温度が設定温度になるように制御する。そして、部屋の左右の温度差が設定温度なれば（Ｓ１６−Ｙ）、吹き分け制御を完了する。
【００４５】
このように本実施の形態の空気調和機は、上側左右風向変更羽根９ａ，９ｂの向きを固定し、下側左右風向変更羽根９ｃ，９ｄの向きを変えて冷風もしくは温風の向きを制御するが、その際、下側左右風向変更羽根９ｃ，９ｄの向き変更後の停留を時間によって制御している。
【００４６】
したがって、上側左右風向変更羽根９ａ，９ｂによって部屋全体の快適性を管理しつつ下側左右風向変更羽根９ｃ，９ｄの停留時間を変えることによって部屋左右個別の快適性を管理することができ、快適な空調が可能となる。
【００４７】
例えば上側左右風向変更羽根９ａ，９ｂの向きは部屋の左右全域に冷風もしくは温風が吹き出されるように固定し、下側左右風向変更羽根９ｃ，９ｄの向きは部屋の左右に向きを振り向けてその停留時間を変えることにより、部屋全体を冷房もしくは暖房しつつ部屋の左右に吹き出す冷風もしくは温風の量を変えて、部屋の片方は寒め、反対側は暖かめ、というように制御することができる。
【００４８】
これにより、従来の冷風もしくは温風自体の温度を変えて吹き分けるようにしたものとほぼ同等レベルの快適な空調が実現できる。
【００４９】
しかも、上側左右風向変更羽根９ａ，９ｂを固定し、二つの下側左右風向変更羽根９ｃ，９ｄの向きの時間を変えるという簡易な方法で部屋全体の空調と部屋左右へ吹き分ける冷風もしくは温風の量を変える局所的な個別空調を実現でき、部屋全体を所望の設定温度にしつつ部屋の左右における寒さ暑さ度合を変えることができる。よって、安価に部屋全体の快適性を確保することができる。
【００５０】
また、本実施の形態では、上記下側左右風向変更羽根９ｃ，９ｄの向きは、部屋の左右の温度差に応じて風向変更羽根の向きの時間を変えているので、部屋の温度状況に応じて冷風もしくは温風を吹き分けることができ、温度状況だけの簡易な方法で快適性の高い空気調和機とすることができる。
【００５１】
加えて、本実施の形態では上記温度制御に加え、人位置及び活動量を検出し、前記人位置及び活動量に応じて下側左右風向変更羽根９ｃ，９ｄの向きの時間を変える構成としているので、人位置と活動量が加わった形で冷風もしくは温風をより精度よく吹き分けることができ、より快適性の高い空気調和機とすることができる。なお、この人位置及び活動量による吹き分け単独で行ってもよいものである。
【００５２】
以上、本発明に係る空気調和機について、上記実施の形態を用いて説明したが、本発明は、これに限定されるものではない。例えば、本実施の形態では室内機と室外機が別体となったセパレート型の空気調和機を例示して説明したが、これは室内機と室外機が一体化した一体型の空気調和機であってもよいものである。つまり、本発明の範囲は特許請求の範囲によって示され、特許請求の範囲と均等の意味及び範囲内でのすべての変更が含まれるものである。
【産業上の利用可能性】
【００５３】
本発明は、上記したように、上下左右四つのブロックに分けた左右風向変更羽根を利用して安価に部屋の左右にいる人の快適性を確保することができ、家庭用及び業務用の空気調和機として幅広く適用することができる。
【符号の説明】
【００５４】
１  室内機
２  室内機本体（本体）
２ａ  開口部
３  前面パネル
４  熱交換器
５  送風ファン
６  吹出口
７  通風路
８、８ａ、８ｂ、８ｃ  上下風向変更羽根
９  左右風向変更羽根
９ａ  上側左右風向変更羽根
９ｂ  上側左右風向変更羽根
９ｃ  下側左右風向変更羽根
９ｄ  下側左右風向変更羽根
１０  フィルタ
１１  フィルタ掃除ユニット
１２  制御部
１３  圧縮機
１４  空調制御部
１５  温度センサ
１６  人感センサ
１７  活動量センサ
１８  風向変更羽根制御部
【図１】
2020060329.tif 000003
【図２】
2020060329.tif 000004
【図３】
2020060329.tif 000005
【図４】
2020060329.tif 000006
【図５】
2020060329.tif 000007
【図６】
2020060329.tif 000008
【図７】
2020060329.tif 000009
【図８】
2020060329.tif 000010